(57)【要約】【課題】蓋部のロックが解除されたか否かが作業者にわかりやすい電子機器を提供する。【解決手段】電子機器は、ケース部材２０ｉと、ケース部材２０ｉに着脱自在に取付け可能な蓋部３２ｉと、蓋部３２ｉによって保持され、蓋部３２ｉの少なくとも一部をケース部材２０ｉに向けて締め付け可能な第１締結部としてのボルト３５と、ケース部材２０ｉに保持され、前記第１締結部と締結可能な第２締結部としてのインサートナット１２とを備える。蓋部３２ｉは、ケース部材２０ｉに対して本取付状態および仮取付状態の少なくとも２通りの状態を取り得、本取付状態では、ボルト３５とインサートナット１２とが締結したことによって蓋部３２ｉはケース部材２０ｉに対して相対的に固定された状態となっており、仮取付状態では、ボルト３５は締結していない状態でインサートナット１２に対して押し付けられている。【選択図】図１８
2017069605.tif 000002
【特許請求の範囲】
【請求項１】
ケース部材と、
前記ケース部材に着脱自在に取付け可能な蓋部と、
前記蓋部によって保持され、前記蓋部の少なくとも一部を前記ケース部材に向けて締め付け可能な第１締結部と、
前記蓋部が前記ケース部材に取り付けられたときに前記第１締結部と対応する位置において前記ケース部材に保持され、前記第１締結部と締結可能な第２締結部とを備え、
前記蓋部は、前記ケース部材に対して本取付状態および仮取付状態の少なくとも２通りの状態を取り得、
前記本取付状態では、前記第１締結部と前記第２締結部とが締結したことによって前記蓋部は前記ケース部材に対して相対的に固定された状態となっており、
前記仮取付状態では、前記第１締結部が前記第２締結部に締結していない状態で、前記第１締結部は前記第２締結部に対して押し付けられている、電子機器。
【請求項２】
前記本取付状態と前記仮取付状態との間は、前記第１締結部に操作を加えることによって相互に移行可能であり、前記仮取付状態のときに前記第１締結部に対して前記本取付状態から前記仮取付状態へと移行させるのと同種の操作を一定以上加えると音が鳴る構造である、請求項１に記載の電子機器。
【請求項３】
前記第１締結部は、前記蓋部を貫通するように配置され、前記蓋部よりも前記第２締結部側の少なくとも一部に雄ネジが設けられた部品であり、前記第２締結部は雌ネジを有する部品である、請求項１または２に記載の電子機器。
【請求項４】
前記第１締結部および前記第２締結部は、いずれも金属からなる、請求項３に記載の電子機器。
【請求項５】
前記第１締結部には、前記蓋部よりも前記第２締結部側において前記第１締結部を取り囲むように取囲み部材が取り付けられており、前記仮取付状態においては、前記蓋部は、前記取囲み部材を前記第２締結部側に押し付けることによって前記第１締結部を前記第２締結部に押し付けている、請求項３または４に記載の電子機器。
【請求項６】
前記取囲み部材が前記蓋部に引っ掛かることによって、前記第１締結部が前記蓋部から抜けることが防止されている、請求項５に記載の電子機器。
【請求項７】
前記取囲み部材はＥリングである、請求項５または６に記載の電子機器。
【請求項８】
前記蓋部は、前記取囲み部材の前記第２締結部側から遠ざかる向きの変位量を制限するように突出部を備える、請求項５から７のいずれかに記載の電子機器。
【請求項９】
前記第１締結部は、前記第２締結部とは反対側の端部にコインの一部を受け入れる溝を有し、前記第１締結部は、前記コインによって回転させることができるようになっている、請求項３から８のいずれかに記載の電子機器。
【発明の詳細な説明】
【技術分野】
【０００１】
本開示は、電子機器に関するものである。
【背景技術】
【０００２】
防水性を有する携帯電話などの電子機器には、収容部が設けられ、収容部が蓋体によって塞がれる構造のものがある。このような蓋体を着脱自在とするために回転式のロック操作片を備える電子機器の例が、特開２０１３−２５５００７号公報（特許文献１）に記載されている。
【先行技術文献】
【特許文献】
【０００３】
【特許文献１】特開２０１３−２５５００７号公報
【発明の概要】
【発明が解決しようとする課題】
【０００４】
蓋部を開けるためには、まずロックを解除する作業を行ない、これが完了した後に、蓋部を引き剥がすという作業を行なうことが一般的である。蓋部のロックを解除する際に、ロック解除が終了したか否かが作業者にとってわかりにくいと、まだロックが解除し終えていないにもかかわらず作業者がロックを解除し終えたと誤解して蓋部を引き剥がそうとしてしまう場合がある。そのような場合には、作業者の爪に過度の負荷がかかって作業者の爪を傷つけたり、蓋部またはその周辺の部材が破損したりするおそれがある。
【０００５】
そこで、本開示は、蓋部のロックが解除されたか否かが作業者にわかりやすい電子機器を提供することを目的とする。
【課題を解決するための手段】
【０００６】
上記目的を達成するため、本開示に基づく電子機器は、ケース部材と、上記ケース部材に着脱自在に取付け可能な蓋部と、上記蓋部によって保持され、上記蓋部の少なくとも一部を上記ケース部材に向けて締め付け可能な第１締結部と、上記蓋部が上記ケース部材に取り付けられたときに上記第１締結部と対応する位置において上記ケース部材に保持され、上記第１締結部と締結可能な第２締結部とを備え、上記蓋部は、上記ケース部材に対して本取付状態および仮取付状態の少なくとも２通りの状態を取り得、上記本取付状態では、上記第１締結部と上記第２締結部とが締結したことによって上記蓋部は上記ケース部材に対して相対的に固定された状態となっており、上記仮取付状態では、上記第１締結部が上記第２締結部に締結していない状態で、上記第１締結部は上記第２締結部に対して押し付けられている。
【発明の効果】
【０００７】
本開示によれば、仮取付状態では、第１締結部が第２締結部に締結していない状態で、第１締結部は第２締結部に対して押し付けられているので、蓋部のロックが解除されたか否かが作業者にわかりやすい電子機器とすることができる。
【図面の簡単な説明】
【０００８】
【図１】本開示に基づく実施の形態１における電子機器の第１の斜視図である。
【図２】本開示に基づく実施の形態１における電子機器の第２の斜視図である。
【図３】本開示に基づく実施の形態１における電子機器の蓋部を少し開けた状態の斜視図である。
【図４】本開示に基づく実施の形態１における電子機器から蓋部を取り去り、電池を抜き取った状態の平面図である。
【図５】本開示に基づく実施の形態１における電子機器の蓋部を裏側から見た平面図である。
【図６】本開示に基づく実施の形態１における電子機器の蓋部の側面図である。
【図７】本開示に基づく実施の形態２における電子機器の第１の斜視図である。
【図８】本開示に基づく実施の形態２における電子機器の第２の斜視図である。
【図９】本開示に基づく実施の形態２における電子機器に備わる背面ケース部材の斜視図である。
【図１０】図９におけるＺ１部の拡大図である。
【図１１】本開示に基づく実施の形態２における電子機器に備わる蓋部の斜視図である。
【図１２】図１１におけるＺ２部の拡大図である。
【図１３】本開示に基づく実施の形態２における電子機器が本取付状態にあるときのボルト近傍の断面図である。
【図１４】本開示に基づく実施の形態２における電子機器に備わるボルトの平面図である。
【図１５】本開示に基づく実施の形態２における電子機器に備わるボルトおよびＥリングの組合せを先端側から見た平面図である。
【図１６】本開示に基づく実施の形態２における電子機器に備わるＥリングの平面図である。
【図１７】本開示に基づく実施の形態２における電子機器で、作業者がボルトを緩める動作を加え始めた後の状態の断面図である。
【図１８】本開示に基づく実施の形態２における電子機器が仮取付状態にあるときのボルト近傍の断面図である。
【発明を実施するための形態】
【０００９】
図面において示す寸法比は、必ずしも忠実に現実のとおりを表しているとは限らず、説明の便宜のために寸法比を誇張して示している場合がある。以下の説明において、上または下の概念に言及する際には、絶対的な上または下を意味するものではなく、図示された姿勢の中での相対的な上または下を意味するものである。
【００１０】
（実施の形態１）
（構成）
図１〜図６を参照して、本開示に基づく実施の形態１における電子機器について説明する。本実施の形態における電子機器１０１の外観を図１に示す。ここでは、電子機器１０１は携帯電話であるものとして説明するが、これはあくまで一例であって、電子機器１０１が携帯電話に限られるものではない。電子機器１０１としては、さまざまな種類の機器が想定されうる。
【００１１】
図１に示すように、電子機器１０１は、正面側に表示領域３１を有する。電子機器１０１は、ケース部材２０を備える。ケース部材２０は、背面ケース部材２１と、正面ケース部材２２とを含む。背面ケース部材２１は複数の部品を組み合わせたものであってもよい。正面ケース部材２２についても同様である。
【００１２】
電子機器１０１の背面側が主に見えるような姿勢とした斜視図を図２に示す。背面側の一方の端部にはたとえば撮像部３４が設けられていてもよい。背面ケース部材２１に蓋部３２が組み合わさっている。蓋部３２は、電子機器１０１内部に収容されている電池などを覆うための蓋である。蓋部３２にはボルト３５が付いていてもよい。ボルト３５は、蓋部３２をロックするか否かを決定するためのボルトである。ここで示す蓋部３２の外形はあくまで一例であり、このとおりとは限らない。
【００１３】
蓋部３２を少し開けた状態を図３に示す。ボルト３５を緩めることによって蓋部３２のロックが解除され、作業者は図３に示すように蓋部３２の一端を持ち上げることができる。
【００１４】
蓋部３２を取り去り、電池を抜き取った状態を図４に示す。収容部１０が見えている。収容部１０は電池を収容するために背面ケース部材２１に設けられた凹部である。図４では、背面ケース部材２１に設けられたボルト受け穴３６が見えている。ボルト受け穴３６はボルト３５（図３参照）が入り込む穴である。ボルト受け穴３６の底にはインサートナット１２が埋め込まれている。
【００１５】
蓋部３２を裏側から見たところを図５に示す。蓋部３２の裏側とは、収容部１０（図４参照）に面する側を意味する。蓋部３２は突出部分３２ａ，３２ｂを備える。突出部分３２ａには、フック部３ａが設けられている。突出部分３２ｂには、フック部３ｂが設けられている。蓋部３２はボルト保持部３７を備える。ボルト保持部３７は、図５において紙面手前側に突出している。ボルト保持部３７の中央には貫通孔１４が設けられている。蓋部３２には、フック部３ａ，３ｂの他にも、第１フック部５１、第２フック部５２、第３フック部５３、第４フック部５４、第５フック部５５が図５において紙面手前側に突出するように設けられている。ただし、ここで示しているフック部の数、配置、形状はあくまで一例であり、ここで示したものに限らない。蓋部３２を図５における下方から見たところを図６に示す。図６では、ボルト保持部３７が突出している様子が見える。
【００１６】
ボルト３５は蓋部３２のボルト保持部３７に収容され、貫通孔１４を貫通し、ケース部材２０の一部である背面ケース部材２１に対して締め込まれる。
【００１７】
電子機器１０１は、ケース部材２０と、ケース部材２０に着脱自在に取付け可能な蓋部３２と、蓋部３２によって保持され、蓋部３２の少なくとも一部をケース部材２０に向けて締め付け可能な第１締結部と、蓋部３２がケース部材２０に取り付けられたときに前記第１締結部と対応する位置においてケース部材２０に保持され、前記第１締結部と締結可能な第２締結部とを備える。本実施の形態では、ボルト３５が第１締結部に相当し、インサートナット１２が第２締結部に相当する。蓋部３２は、ケース部材２０に対して本取付状態および仮取付状態の少なくとも２通りの状態を取り得る。前記本取付状態では、前記第１締結部と前記第２締結部とが締結したことによって蓋部３２はケース部材２０に対して相対的に固定された状態となっている。前記仮取付状態では、前記第１締結部が前記第２締結部に締結していない状態で、前記第１締結部は前記第２締結部に対して押し付けられている。
【００１８】
ボルト３５がケース部材２０の一部である背面ケース部材２１に対して締め込まれる箇所の詳細な構造については、この後に示す実施の形態２で断面図を参照しつつ説明する。ボルト３５の周辺の構造は、実施の形態１においても実施の形態２で説明するものと同様の構造が採用されている。
【００１９】
（作用・効果）
本実施の形態では、蓋部３２を背面ケース部材２１に対して締め付けるボルト３５の近傍が特殊な構造となっているので、ボルト３５による蓋部３２のロックが正常に解除されたか否かが作業者にとってわかりやすい電子機器となっている。詳細は実施の形態２で説明する。
【００２０】
ここでいう「作業者」とは、たとえば電子機器のユーザであってもよく、電子機器のメンテナンスを行なう技術者であってもよく、それ以外の何らかの作業者であってもよい。
【００２１】
（実施の形態２）
（構成）
図７〜図１６を参照して、本開示に基づく実施の形態２における電子機器について説明する。本実施の形態における電子機器１０２の外観を図７に示す。ここでは、電子機器１０２は二つ折り式の携帯電話であるものとして説明するが、これはあくまで一例であって、電子機器１０２が二つ折り式の携帯電話に限られるものではない。電子機器１０２としては、さまざまな種類の機器が想定されうる。
【００２２】
図７に示すように、電子機器１０２は、本体部５と表示部８とを備える。本体部５は、ケース部材２０ｉを備える。ケース部材２０ｉは、背面ケース部材２１ｉと、正面ケース部材２２ｉとを含む。背面ケース部材２１ｉは、複数の部品を組み合わせたものであってもよい。正面ケース部材２２ｉについても同様である。表示部８は、本体部５に対して蝶番７によって回動可能に取り付けられている。表示部８には表示領域３１ｉが設けられている。本体部５には操作のためのボタン９が設けられている。
【００２３】
電子機器１０２を折り畳んだ状態を図８に示す。図８では、本体部５が上側、表示部８が下側になる姿勢で示されている。この姿勢では、背面ケース部材２１ｉが正面ケース部材２２ｉより上側となっている。背面ケース部材２１ｉに対して蓋部３２ｉが取り付けられている。蓋部３２ｉは、背面ケース部材２１ｉに対してボルト３５によって締め付けられることによってロックされている。蓋部３２ｉを開けるためには、ボルト３５を緩めることによってロックを解除することが必要である。
【００２４】
背面ケース部材２１ｉを単独で取り出したところを図９に示す。背面ケース部材２１ｉは凹部である収容部１０ｉを有する。図９におけるＺ１部を拡大したところを図１０に示す。背面ケース部材２１ｉはボルト受け穴３６ｉを有する。ボルト受け穴３６ｉの底にはインサートナット１２が埋め込まれている。インサートナット１２は内周面に雌ネジ１２ｒを有する。
【００２５】
蓋部３２ｉをほぼ単独で取り出したところを図１１に示す。図１１では、蓋部３２ｉのうち背面ケース部材２１ｉに対向する側の面が上を向く姿勢で表示している。図１１におけるＺ２部を拡大したところを図１２に示す。蓋部３２ｉはボルト保持部３７ｉを有する。蓋部３２ｉには、ボルト３５およびＥリング１３が取り付けられている。ボルト３５は、蓋部３２ｉを貫通している。図１２では、ボルト３５の頭はボルト保持部３７ｉの背後に隠れている。図１２に示すように、ボルト３５の先端部の外周面には雄ネジ３５ｒが設けられている。ボルト３５のうち雄ネジ３５ｒが設けられているのは先端部のみであってよい。ボルト３５の先端部の雄ネジ３５ｒが設けられた区間と、ボルト３５の頭との間には、雄ネジが設けられていない区間があってよい。雄ネジ３５ｒが設けられた区間よりも頭側の１ヶ所をＥリング１３が取り囲んでいる。Ｅリング１３の内径は雄ネジ３５ｒの外径よりも小さい。したがって、Ｅリング１３は雄ネジ３５ｒを超えてボルト３５から脱落することはない。Ｅリング１３がボルト３５に取り付けられているので、ボルト３５は、ボルト保持部３７ｉから脱落しない。これによって、ボルト３５は蓋部３２ｉに取り付けられた状態となっている。
【００２６】
図８では、蓋部３２ｉは完全に閉じ、ボルト３５によってロックがされていたが、この状態のボルト３５近傍の断面図を図１３に示す。蓋部３２ｉの一部は凹状となっており、ボルト保持部３７ｉとなっている。ボルト保持部３７ｉは、ボルト３５の頭を収容するための凹部である。したがって、ボルト保持部３７ｉの内径はボルト３５の頭の外径よりやや大きい。ボルト保持部３７ｉの底面には貫通孔１４が設けられており、ボルト３５は貫通孔１４を貫通している。蓋部３２ｉは、貫通孔１４に沿ってインサートナット１２の側へと延在する突出部１７を備える。突出部１７は、Ｅリング１３を、ボルト保持部３７ｉの底面からインサートナット１２側に向かってある程度離れた位置に保つためのものである。突出部１７はたとえば円筒形状であってもよい。突出部１７が円筒形状である場合には、突出部１７の内径はＥリング１３の外径よりも小さくなっていればよい。
【００２７】
ボルト３５を単独で取り出し、頭の側から見た平面図を図１４に示す。ボルト３５は頭に溝１５を有する。溝１５は作業者がボルト３５を回す作業を行なう際にコインなどを嵌め込むためのものである。溝１５は、平面図で見ればたとえば１本の直線状の溝である。溝１５は、コインの端がフィットするように、断面図で見たときに深さが円弧状に変化する溝であることが好ましい。溝１５は、中央が深くなっており両端が浅くなっている構造であることが好ましい。ボルト３５およびＥリング１３の組合せを取出し、ボルト３５の先端の側から見た平面図を図１５に示す。図１５では、Ｅリング１３よりも手前側に雄ネジ３５ｒが存在する。Ｅリング１３を単独で取り出したところの平面図を図１６に示す。Ｅリング１３は、たとえば金属板によって形成されたものであってよい。
【００２８】
本実施の形態における電子機器１０２の構成を整理すると以下のとおりとなる。電子機器１０２は、ケース部材２０ｉと、ケース部材２０ｉに着脱自在に取付け可能な蓋部３２ｉと、蓋部３２ｉによって保持され、蓋部３２ｉの少なくとも一部をケース部材２０ｉに向けて締め付け可能な第１締結部と、蓋部３２ｉがケース部材２０ｉに取り付けられたときに前記第１締結部と対応する位置においてケース部材２０ｉに保持され、前記第１締結部と締結可能な第２締結部とを備える。本実施の形態では、ボルト３５が第１締結部に相当し、インサートナット１２が第２締結部に相当する。蓋部３２ｉは、ケース部材２０ｉに対して本取付状態および仮取付状態の少なくとも２通りの状態を取り得る。前記本取付状態では、前記第１締結部と前記第２締結部とが締結したことによって蓋部３２ｉはケース部材２０ｉに対して相対的に固定された状態となっている。前記仮取付状態では、前記第１締結部が前記第２締結部に締結していない状態で、前記第１締結部は前記第２締結部に対して押し付けられている。図１３に示される状態は、本取付状態に相当する。図１３に示される状態では、ボルト３５の雄ネジ３５ｒが設けられた部分は、インサートナット１２の奥の方に入り込んでおり、Ｅリング１３からは離れている。
【００２９】
図１３では、Ｅリング１３は突出部１７に当接した状態で示されているが、実際には、Ｅリング１３は、突出部１７に当接しているとは限らず、突出部１７の下面とインサートナット１２の上面との間の間隙のうちの任意の位置にあってもよい。図面ではＥリング１３は模式的に平坦な板状のものとして示されているが、実際にはＥリング１３は変形していてもよく、完全な平坦とは限らない。
【００３０】
（作用・効果）
本実施の形態では、作業者がボルト３５を緩める操作を加えた場合、図１３に示される状態から図１７に示される状態へと移行する。すなわち、ボルト３５の雄ネジ３５ｒが設けられた部分がインサートナット１２から抜け出す向き（矢印９２の向き）に進んでおり、図１７では雄ネジ３５ｒの上端がＥリング１３に当接している。この状態では、ボルト３５の雄ネジ３５ｒの一部はインサートナット１２の雌ネジ１２ｒの一部と噛み合っている。図１７では、図１３に比べて、ボルト３５は、たとえば１．３ｍｍだけ上昇している。雄ネジ３５ｒはＥリング１３の内側を通過することはできないので、雄ネジ３５ｒはＥリング１３を押し上げる形となっており、このように押し上げられたことによりＥリング１３の上面は蓋部３２ｉの突出部１７の下面に接している。
【００３１】
突出部１７の下面がＥリング１３の位置を制限しているので、作業者がボルト３５を緩める操作を加えることによって、ボルト３５の雄ネジ３５ｒがインサートナット１２から抜け出す向き（矢印９２の向き）に移動していくにつれて、このように早い段階で雄ネジ３５ｒがＥリング１３に当接する。さらに突出部１７があることによってＥリング１３は蓋部３２ｉの中での矢印９２の向きの相対的な変位量が制限されているので、ボルト３５の上昇に伴って雄ネジ３５ｒがＥリング１３を押し上げることによって、Ｅリング１３は、雄ネジ３５ｒと突出部１７とに挟まれることとなり、ボルト３５の雄ネジ３５ｒはＥリング１３を介して突出部１７すなわち蓋部３２ｉを持ち上げることとなる。図１７に示す状態よりさらに雄ネジ３５ｒが上昇すれば、Ｅリング１３は矢印９２の向きに持ち上げられる。
【００３２】
図１７に示される状態からさらに作業者がボルト３５を緩める操作を加えた場合、ボルト３５は矢印９２の向きに移動してインサートナット１２から完全に脱出し、図１８に示す状態へと移行する。この状態では、雄ネジ３５ｒは雌ネジ１２ｒとは全く噛み合っていない。Ｅリング１３は、引き続き、雄ネジ３５ｒと突出部１７とに挟まれている。図１８では、図１３に比べて、ボルト３５は、たとえば２．１ｍｍだけ上昇している。ボルト３５はインサートナット１２の上側に載る形となっている。Ｅリング１３は雄ネジ３５ｒが上昇した分だけさらに矢印９２の向きに持ち上げられている。Ｅリング１３は貫通孔１４を通過することはできないので、Ｅリング１３の上昇に伴い、蓋部３２ｉは矢印９２の向きに持ち上げられている。蓋部３２ｉが持ち上げられたことにより、ボルト保持部３７ｉの下面とケース部材２０ｉとの間に間隙１６が生じている。蓋部３２ｉに突出部１７があることにより、間隙１６はある程度以上の大きさとなる。間隙１６をより大きくするためには突出部１７の高さをより大きくすればよい。図１８に示される状態は、仮取付状態に相当する。
【００３３】
蓋部３２ｉはＥリング１３によって持ち上げられているが、蓋部３２ｉは、ボルト３５から遠い部分においては、フック部などによってケース部材２０ｉに対して引き続き係合している状態であるので、蓋部３２ｉは元の平坦な状態に戻ろうとして少なくとも一部で弾性変形しており、この弾性力がＥリング１３を下向き（矢印９１の向き）に付勢している。Ｅリング１３は雄ネジ３５ｒを通過して下側に移動することはできないので、蓋部３２ｉがＥリング１３を下向きに付勢すれば、これはＥリング１３を介してボルト３５を下向き（矢印９１の向き）に付勢することに他ならない。このようにボルト３５が下向きに付勢されてインサートナット１２に押し付けられている状態で、作業者がボルト３５を緩める操作をさらに加えた場合、雄ネジ３５ｒの下端が雌ネジ１２ｒの上端に対して噛み合わない状態のままで密着して相対的に回転することとなるので、音が鳴る。たとえば作業者がボルト３５を緩める向きに１回転させる度にカチッという音が鳴る。
【００３４】
なお、本実施の形態で一例を示したように、本取付状態と仮取付状態との間は、第１締結部に操作を加えることによって相互に移行可能であり、仮取付状態のときに第１締結部に対して本取付状態から仮取付状態へと移行させるのと同種の操作を一定以上加えると音が鳴る構造であることが好ましい。この構成となっていれば、作業者にとっては、本取付状態から仮取付状態へと移行し終えたという事実を音によって知覚できるので、蓋部のロックが解除されたか否かが作業者にわかりやすい電子機器とすることができる。なお、作業者に知らせる手段は音のみとは限らない。たとえばカチッという手応えであってもよい。
【００３５】
本実施の形態で示したように、第１締結部は、蓋部３２ｉを貫通するように配置され、蓋部３２ｉよりも第２締結部側の少なくとも一部に雄ネジが設けられた部品であり、第２締結部は雌ネジを有する部品であることが好ましい。この構成を採用することにより、雄ネジと雌ネジとが互いに押し付けられた状態でさらに緩める向きに相対的に回転することとなるので、簡便な構造でありながら、既に仮取付状態になっていることを作業者に知らせることができる。すなわち、蓋部のロックが解除されたか否かが作業者にわかりやすい電子機器とすることができる。本実施の形態では、この条件を満たす一例として、雄ネジ３５ｒを有するボルト３５が第１締結部として採用されており、雌ネジ１２ｒを有するインサートナット１２が第２締結部として採用されている。ここでは、第１締結部がボルトであって第２締結部がナットであるものとしているが、両者は互いに逆であってもよい。第１締結部および第２締結部は、ボルトおよびナットという組合せ以外の何らかの締結構造であってもよい。
【００３６】
第１締結部および第２締結部は、いずれも金属からなることが好ましい。この構成を採用することにより、第１締結部および第２締結部が摩耗したり欠けたりすることをなるべく抑制することができる。また、互いに押し付けられた状態で相対的に回転する際に、金属同士であれば、カチッという音または手応えが作業者にとってわかりやすいものとなる。
【００３７】
第１締結部には、蓋部３２ｉよりも第２締結部側において第１締結部を取り囲むように取囲み部材が取り付けられており、仮取付状態においては、蓋部３２ｉは、取囲み部材を第２締結部側に押し付けることによって第１締結部を第２締結部に押し付けていることが好ましい。このような取囲み部材を採用することによって、限られたスペース内で少ない部品点数でありながら、第１締結部を前記第２締結部に押し付ける構造を容易に実現することができる。
【００３８】
取囲み部材が蓋部３２ｉに引っ掛かることによって、第１締結部が蓋部３２ｉから抜けることが防止されていることが好ましい。この構成を採用することにより、不所望なタイミングで第１締結部が蓋部から抜ける可能性がなくなるので、作業者は第１締結部を蓋部と一体のものとして扱うことができ、作業しやすくなる。また、第１締結部のみを紛失するおそれもなくなる。
【００３９】
取囲み部材はＥリングであることが好ましい。この構成を採用することにより、安価で単純な構造を以て取囲み部材を実現することができる。
【００４０】
本実施の形態で示したように、蓋部３２ｉは、取囲み部材の第２締結部側から遠ざかる向きの変位量を制限するように突出部１７を備えることが好ましい。この構成を採用することにより、第１締結部を緩める際に第１締結部は取囲み部材を介して早い段階から蓋部を押すことが可能となる（図１７参照）。これにより、蓋部がケース部材から浮き上がる量を大きく確保することが可能となる。ここで示した突出部１７の形状はあくまで一例であって、このとおりの形状とは限らない。
【００４１】
第１締結部は、第２締結部とは反対側の端部にコインの一部を受け入れる溝１５を有し、第１締結部は、前記コインによって回転させることができるようになっていることが好ましい。この構成を採用することにより、たとえ第１締結部を回転させるために大きな力が必要であったとしても、作業者は手近なコインを以て第１締結部を確実に回転させることができる。
【００４２】
なお、上記実施の形態で好ましい旨を説明した追加的構成のうち複数を適宜組み合わせて採用してもよい。
【００４３】
なお、ここまで「電子機器」という用語を用いて説明したが、電子機器は、たとえば携帯電話、携帯情報端末、タブレット端末、パーソナルコンピュータ、ゲーム機、テレビ受像機、携帯音楽プレーヤー、ＣＤプレーヤー、ＤＶＤプレーヤー、電子辞書、電子書籍リーダー、デジタルカメラ、ビデオカメラ、ラジオ受信機、ナビゲーションシステムなどを含む広い概念である。携帯電話または携帯情報端末の概念にはスマートフォンが含まれる。
【００４４】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００４５】
３ａ，３ｂ  フック部、５  本体部、７  蝶番、８  表示部、９  ボタン、１０，１０ｉ  収容部、１２  インサートナット、１２ｒ  雌ネジ、１３  Ｅリング、１４  （蓋部の）貫通孔、１５  溝、１６  （蓋部とケース部材との間の）間隙、１７  突出部、２０，２０ｉ  ケース部材、２１，２１ｉ  背面ケース部材、２２  正面ケース部材、３１，３１ｉ  表示領域、３２，３２ｉ  蓋部、３２ａ，３２ｂ  突出部分、３４  撮像部、３５  ボルト、３５ｒ  雄ネジ、３６，３６ｉ  ボルト受け穴、３７，３７ｉ  ボルト保持部、５１  第１フック部、５２  第２フック部、５３  第３フック部、５４  第４フック部、５５  第５フック部、９１，９２  矢印、１０１  電子機器。
【図１】
2017069605.tif 000003
【図２】
2017069605.tif 000004
【図３】
2017069605.tif 000005
【図４】
2017069605.tif 000006
【図５】
2017069605.tif 000007
【図６】
2017069605.tif 000008
【図７】
2017069605.tif 000009
【図８】
2017069605.tif 000010
【図９】
2017069605.tif 000011
【図１０】
2017069605.tif 000012
【図１１】
2017069605.tif 000013
【図１２】
2017069605.tif 000014
【図１３】
2017069605.tif 000015
【図１４】
2017069605.tif 000016
【図１５】
2017069605.tif 000017
【図１６】
2017069605.tif 000018
【図１７】
2017069605.tif 000019
【図１８】
2017069605.tif 000020